(57)【要約】      （修正有）【課題】患者と救助者が相互に装着して心臓マッサージを行う位置を変えることなく人口呼吸を同時に行う相対マスクを提供する。【解決手段】患者側のマスク１、救助側マスク２および連結ホース３からなる相対マスク。マスクは、口と鼻を塞ぐ完全密閉型で既存する防塵マスクと構造面では同じであり、材質も塩化ビニール製で柔軟性のあるもので、顔にヒットする形状を有す、即ち、鼻の両サイドから空気が漏れないよう鼻の形状に合ったものとする。連結ホースとの接触面は空気が漏れないよう塩化ビニール専用の接着剤で固定する。【選択図】図１
2009189766.tif 000002
【特許請求の範囲】
【請求項１】
心肺停止の患者に、応急手当を容易に且つ確実に行うために救助者が心臓マッサージを行う姿勢で、その位置のまま患者と救助者が向き合った状態で人口呼吸を行う方法を発明した、即ち、図１の患者側マスク１と救助者側マスク２を装着し、その間をホース３で連結させ、救助者の呼気を患者へ吹き込み人口呼吸を行いながら心臓マッサージを同時に一人で患者が回復するまで継続的に応急手当をすることが容易に且つ確実に更に簡単に出来る方法である。
「図」１「相対マスク」の全体図
「写真１」「相対マスク」を装着して応急手当を行っている状景写真
【請求項２】
「相対マスク」の患者側マスク１は口と鼻を覆う完全密閉型のマスクで材質は、塩化ビニール製の柔軟で顔にヒットするもので、患者側マスク１には、患者が意識を失った状態にあるため口が閉ざされ舌で気道を塞いた状態にあるため、気道を確保する必要がある、従い、気道確保ホース４を設けて。従来は口対口法で呼気を吹き込む毎に気道確保しなければならなかったが、本発明で患者にマスクをセットした時点で気道確保が図れるようになった。
気道確保ホース４の材質は塩化ビニール製でホースが折れないようワイヤー入りとする
「図２」患者側マスク装着断面図
【請求項３】
「相対マスク」の救助者側マスク２は口のみを覆うマスクで、救助者は鼻から空気を吸い込み人間の呼吸する自然な状態で呼気を患者に送り込むことが出来る。材質は塩化ビニール製の柔軟な顔にヒットする密閉型とする。
「図３」「相対マスク」装着による状景図
【請求項４】
「相対マスク」患者側マスク１と救助側マスク２には、マスクを確実に固定させるため、固定バンド５を設けてある。従い応急手当を行っている間に装着マスクが外れる事が無い状態とした。
バンドは伸び縮みするゴム製のものとする。
「図１」「相対マスク」全体図
【発明の詳細な説明】
【技術分野】
【０００１】  本発明は、心肺停止の患者に対して、救助者が一人で心臓マッサージと人口呼吸を同時に心臓マッサージを行う姿勢のまま連続して蘇生への応急手当を行うために、患者側と救助者側にマスクを装着させその間をホースで連結し人口呼吸により呼気の吹き込みを行う「相対マスク」の発明に関するものである。
【背景技術】
【０００２】  従来のマスク類には、一般用や工業用の防塵マスク。防毒マスク等のもので汚れた空気を遮断して呼吸出来るマスクは数多くの種類があり技術的に確立されている。（特許件数約２、０００件ある。）【０００３】酸素欠乏場所への立ち入りの際の酸素吸気マスクや酸素補給が必要な医療時の際や航空機の機内用で酸素マスク等の種類も多く技術的に確立されてある。【０００４】従来の防塵マスクにおいて、エアラインマスクや手動送風機ホースマスク等は本発明とホースを使用している点で類似するところがある、但し「相対マスク」に相当するものは、見出せなかった。
【特許文献１】
【非特許文献１】  労働安全衛生法、危険物関係法令  東京法令出版社発行  応急手当テキスト  中央労働災害防止協会発行  酸素欠乏症等の防止テキスト  粉塵による疾病の防止テキスト
【発明の開示】
【発明が解決しようとする課題】
【０００５】  従来、心肺停止による蘇生方法があるが、患者が倒れて初期の段階で応急手当の不備から、回復出来ず死亡に至る比率が極めて高い現状にある。
心筋梗塞や脳卒中、不整脈等による心肺停止が発生した時は、敏速に応急手当を行わなければならないとされている、直ぐ救急車の出動要請をしても５分以内に到着することは、極めて確率が低い現状である。
心肺停止した場合は、心臓停止後約３分で５０％呼吸停止後１０分で５０％で死亡に至ると言われている。
従い、如何に初期応急手当が重要であるかが現状の課題である。
応急手当は、救急車が到着するまでの間、倒れた患者の救助を行うが、現状の家庭は核家庭が多く、又高齢化に伴う老夫婦の家庭が多くなって来ている。
そのため最も重要な２〜３分以内の応急手当が不十分でこの時点で患者が回復出来ず死亡に至るケースが大半である。
即ち、現状の応急手当では、救助者が一人で心臓マッサージと口対口法の人口呼吸を同時に行うことは、困難であり、且つ確実な行動が取れず蘇生方法に無理がある現状である。
従い、本発明は、一人で同時に心臓マッサージと人口呼吸を容易に確実に行うことが出来る方法を発明した。【０００６】  従来の口対口法による人口呼吸を行う際は、先ず患者が意識を失っててるため気道が塞がっていることが多い、よって気道を確保するため患者の首を上げる頭部後屈あご挙上法、図４を行い気道を確保したことを確認して人口呼吸により呼気を患者に吹き込む、この際忘れてはならないのは、親指と人差指で患者の鼻をつまんで空気が漏れないようにする、図４。
この動作を敏速に且つ確実に行われなければならない。
【課題を解決するための手段】
【０００７】  心臓マッサージ１５回と人口呼吸２回のサイクルを繰り返して行う動作を解決する必要がある、従い今回発明した「相対マスク」を患者と救助者が相互に装着して心臓マッサージを行う位置を変えることなく人口呼吸を同時に行うことにより、確実に且つ救助者に負担を掛けず容易に出来る。【０００８】  患者の気道の確保と人口呼吸時の鼻をつまんでの動作は、熟練された者でないと失敗する場合があるが、発明した「相対マスク」には気道の確保４を設けてあるのでマスクを装着しただけで気道の確保が容易に出来る、又人口呼吸による呼気の吹き込みを行う際の鼻をつまむ動作も不要となる。
【発明の効果】
【０００９】  従来の心肺停止の患者に行う応急手当は、初期の最も大切な時間であるが、心臓マッサージ１５回と口対口の法による人口呼吸２回のサイクルの繰り返し動作に時間がかかり、且つ確実に行われなかったために死亡に至る比率が高かつた。
発明した「相対マスク」を使用することで、不要な時間の大幅な減少と確実な応急手当の確立により、死亡比率が大幅に減少する。【００１０】  その応急手当が未熟練者で有っても、ひと通りの知識があれば容易に出来る。即ち、「相対マスク」を患者と救助者が装着して一人で心臓マッサージを行いながら救助者の呼気を連結されたホース間を通して患者に吹き込む人口呼吸の動作を容易に同時に行える。即ち、従来の応急手当より極めて簡単な方法である。【００１１】  「相対マスク」を最初にセットすれば、心臓マッサージを行う位置で連続して応急手当を行うことが出来るため救助者の負担が減少される。【００１２】  従来、意識がない患者の気道確保の動作が熟練者でないと、なかなか容易に出来ない、又人口呼吸を行う毎に気道確保の動作を繰り返し行う必要があるため、この動作に時間が掛かり蘇生に必要な時間が減少してしまい応急手当の失敗を招いていた。
「相対マスク」の患者側マスク１を装着すれば、気道確保ホース４が設けてあるため、患者にマスクを装着した時に気道が確保される、即ち一回マスクを装着すれば患者か回復するまで人口呼吸による呼気を吹き込むことが出来る。【００１３】  人口呼吸を行う時は必ず親指と人差指で患者の鼻をつまんで、吹き込んだ呼気が漏れないようにしなければならないが、この動作一箇所を忘れて応急手当を行っていて、患者が回復出来たものを失敗したケースは、極めて多い。
従い、発明した、「相対マスク」の患者側マスク１を装着するだけで口と鼻を覆う密閉型のマスクであるため、上記の失敗は絶無である。【００１４】  発明した「相対マスク」は、軽くコンパクトに収納出来るため外出時携帯することも可能である。【００１５】  「相対マスク」は安価であり家庭内に常備することで安心感が著しく向上する。
【発明の実施するための最良の形態】
【００１６】  以下に、本発明の実施の形態を図１〜５に基づいて説明する。
【００１７】  図１は、本発明の「相対マスク」の全体図であり、１は患者側のマスクで口と鼻を塞ぐ完全密閉型で既存する防塵マスクと構造面では同じであり、材質も塩化ビニール製で柔軟性のあるもので、顔にヒットする形状を有す、即ち、鼻の両サイドから空気が漏れないよう鼻の形状に合ったものとする。
連結ホースとの接触面は空気が漏れないよう塩化ビニール専用の接着剤で固定する。
【００１８】  ２は救助側マスクで口のみを覆う構造であるが、材質は１患者側マスクと同じもので、鼻下の部分は上唇部の形状に合わせたものとする。
連結ホースとの接触面も１患者側マスクと同じである。
【００１９】  ３連結ホースは、ホースが折れないようワイヤー入りの塩化ビニール製で柔軟性のあるものとする。ホースの長さは８０ｃｍとし、外径は２５φで厚み２ｍｍとする。マスクとの接触面は塩化ビニール専用の接着剤で固定する。
【００２０】  患者側マスクに４気道確保用ホースは３連結ホースと一体ものであるが１患者側マスクの内部個所であり区分した、マスクの内面からの長さは８ｃｍとする。
【００２１】  ５マスク固定バンドは、ゴム製の伸び縮みする柔軟性のあるものとする。
マスクとの固定は硬質塩化ビニールの止め具とする。
【００２２】「図２」は、１患者側マスクの装着断面図で、口の中に挿入した４気道確保ホースの状態図である。尚、材質、外形、厚みは３連結ホースと同じである。
【００２３】「図３」は、「相対マスク」装着による状景図である。
２救助側マスクは、口のみを覆うマスクで鼻は外気を吸い込み口から患者に呼気を吹き込む形状となっている。その状態を表した図である。
【００２４】  図４は、本発明に最も類似した、防塵マスクの代表図である。
エアーラインマスクと手動送風機形ホースマスクは粉塵濃度が高い個所での外気を動力を持ち得てホースからマスク内に綺麗な空気を送り込む方法のマスクである。類似しているところは、マスクにホースが連結されている点である。
しかし、本発明の呼吸停止の患者に相対して救助者間でマスクを装着する構造のものとは、内容的に違いがああある。
【００２５】  図５は、従来行われている、応急手当の手順図である。
先ず、従来の応急手当の手順は心臓マッサージ１５回と人口呼吸２回のサイクルを繰り返し行っている。
先ず、救助者は心臓マッサージを１５回行い、身体を移動させ患者の顔近くに来て気道を確保するため図５−１の通り患者の首を上げ頭部後屈あご挙上法により気道を確保する次に図５−２の通り患者の鼻をつまみ口対口法で患者に呼気を２回吹き込む、その後又心臓マッサージを行うため移動する、この動作を患者が回復するまで一人で継続しなければならない。
【図面の簡単な説明】
【００２６】  〔写真１〕  「相対マスク」を装着して行っている状景写真
【図１】  「相対マスク」の全体図
【図２】  患者側マスクの装着断面図
【図３】  「相対マスク」装着による状景図
【図４】  本発明と類似する防塵マスク図
【図５】  従来の応急手当手順図
【符号の説明】
【００２７】  １    患者側のマスク
２    救助者側のマスク
３    マスク間の連結ホース
４    気道確保用のホース
５    マスク装着固定バンド
2009189766.tif 000003
【図１】
2009189766.tif 000004
【図２】
2009189766.tif 000005
【図３】
2009189766.tif 000006
【図４】
2009189766.tif 000007
【手続補正書】
【提出日】平成20年4月22日(2008.4.22)
【手続補正１】
【補正対象書類名】図面
【補正対象項目名】図５
【補正方法】追加
【補正の内容】
【図５】
2009189766.tif 000008
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
患者および救助者の頭に引掛けるバンド部を有し、人間の顔面にフイットする柔軟性のおる材料で形成された、患者側マスクおよび救助者側マスクを備え、両マスクの顔面側を連通させるようにして両マスクを連結し、柔軟性材料で形成させたホースを備え、該ホースの先端には患者の口に咥えさせる、咥え部を設けたことを特徴とする心肺停止蘇生用マスク装置。
【手続補正３】
【補正対象書類名】明細書
【補正対象項目名】０００４
【補正方法】変更
【補正の内容】
【０００４】従来の防塵マスクにおいて、エアラインマスクや手動送風機ホースマスク等は本発明とホースを使用している点で類似するところがある、但し「相対マスク」に相当するものは、見出せなかった。
【特許文献１】  特許登録等第２５３９８３６号広報
【非特許文献１】  労働安全衛生法、危険物関係法令  東京法令出版社発行  応急手当テキスト  中央労働災害防止協会発行  酸素欠乏症等の防止テキスト  粉塵による疾病の防止テキスト
【手続補正４】
【補正対象書類名】明細書
【補正対象項目名】０００７
【補正方法】変更
【補正の内容】
【０００７】心臓マッサージ１５回と人口呼吸２回のサイクルを繰り返して行う動作を解決する必要がある、従い今回発明した「相対マスク」を患者と救助者が相互に装着して心臓マッサージを行う位置を変えることなく人口呼吸を同時に行うことにより、確実に且つ救助者に負担を掛けず容易に出来る、
患者の気道の確保と人口呼吸の鼻をつまんでの動作は、熟練された者でないと失敗する場合があるが、発明した「相対マスク」には気道の確保４を設けてあるのでマスクを装着しただけで気道の確保が容易に出来る、又人口呼吸による呼気の吹き込みを行う際の鼻をつまむ動作も不要となる。
【手続補正５】
【補正対象書類名】明細書
【補正対象項目名】０００８
【補正方法】変更
【補正の内容】
【０００８】患者および救助者の頭に引っ掛けるゴムバンド部を有し、人間の顔面にフイットし、柔軟性のある材料で形成された患者側マスクおよび救助者側マスクを備え、両マスクの顔面側を連通させるようにして両マスクを連結し、柔軟性材料で形成されたホースを備えて、該ホースの先端には患者の口に咥えさせる咥え部を設けたことを特徴とする心肺停止蘇生用マスク装置である。
【手続補正６】
【補正対象書類名】明細書
【補正対象項目名】００１７
【補正方法】変更
【補正の内容】
【００１７】図１は、本発明の実施例である、心肺停止蘇生用マスク装置、即ち本願で呼称することにする、「相対マスク装置」の全体図であり、「相対マスク装置」は次のようにして構成される、１は患者側のマスクで口と鼻を覆う完全密閉型で既存する防塵マスクと構造面では同じであり、材質も塩化ビニール製で柔軟性のあるもので、顔にフイットする形状を有し、即ち、鼻の両サイドから空気が漏れないよう鼻の形状に合わせたもの連結ホースとの接触面は空気が漏れないよう塩化ビニール專用の接着剤で固定する。
【手続補正７】
【補正対象書類名】明細書
【補正対象項目名】００２２
【補正方法】変更
【補正の内容】
【００２２】「図２」は、１患者側マスクの装着断面図で、口の中に挿入した４気道確保ホースの状態図である、尚、材質、外形、厚みは３連結ホースと同じである、６ホースリングは、マスクとホースを接続させるリングで、硬質な塩化ビニール製で塩化ビニール専用の接着剤にて接続する、７は、患者が４ホースを咥えている状態を示したものである。
【手続補正８】
【補正対象書類名】明細書
【補正対象項目名】００２７
【補正方法】変更
【補正の内容】
【００２７】１      患者側のマスク
２      救助者側のマスク
３      マスク間の連結ホース
４      気道確保用のホース
５      マスク装着固定バンド
６      マスクとホースを接続するホースリング
７      患者が４ホースを咥えている状態を示した個所
【手続補正９】
【補正対象書類名】図面
【補正対象項目名】図２
【補正方法】変更
【補正の内容】
【図２】
2009189766.tif 000009